(57)【要約】【課題】被掃除面に付着した塵埃を容易に除去でき、しかも除去された塵埃を容易に廃棄することができる清掃具及び空気調和機を提供する。【解決手段】上面に開口３５ａを有する本体ケース３５と、開口３５ａに臨むように回転自在に配され、エアフィルター（図示せず）に付着した塵埃を除去する除塵体Ａ３６と、除塵体Ａ３６に付着した塵埃を除去する除塵体Ｂ３８と、除塵体Ｂ３８から剥離落下する塵埃を受けるダストボックス３９を設けたもので、除塵体Ａ３６で連続的にエアフィルターに付着した塵埃を確実に除去すると共に、塵埃がダストボックス３９に回収されるので、塵埃の廃棄もきわめて容易である。また、除塵体Ａ３６に付着した塵埃が除塵体Ｂ３８で除去されるので、塵埃がエアフィルターに再付着することが無く、また、ダストボックス３９で自然落下する塵埃を受けるだけなので、安価で、軽量化が図れる。【選択図】図２
2008157538.tif 000002
【特許請求の範囲】
【請求項１】
上面に開口を有する本体ケースと、前記開口に臨むように前記本体ケース内に回転自在に配され、被清掃面に付着した塵埃を除去する除塵体Ａと、前記除塵体Ａに付着した塵埃を除去する除塵体Ｂと、前記除塵体Ｂから剥離落下する塵埃を受けるダストボックスを設けたことを特徴とする清掃具。
【請求項２】
ダストボックスを、本体ケースから着脱可能にしたことを特徴とする請求項１に記載の清掃具。
【請求項３】
ダストボックス内の塵埃量を検知する塵埃検知手段を設けたことを特徴とする請求項１又は２に記載の清掃具。
【請求項４】
ダストボックス内に堆積した塵埃を圧縮する圧縮手段を設けたことを特徴とする請求項１〜３のいずれか１項に記載の清掃具。
【請求項５】
ダストボックスと清掃具の外部を連通する接続管を設けたことを特徴とする請求項１〜４のいずれか1項に記載の清掃具。
【請求項６】
ダストボックスに堆積した塵埃を回収する集塵フィルターと、前記ダストボックスと連通すると共に前記集塵フィルターが着脱自在に装着される集塵室と、吸引側が前記集塵室の下流側に連通する電動送風機を設けた請求項１〜５のいずれか１項に記載の清掃具。  
【請求項７】
本体ケースに、被掃除面に沿って清掃具を移動させる駆動手段と、前記駆動手段を制御する制御部を内蔵した請求項１〜６のいずれか１項に記載の清掃具。
【請求項８】
駆動手段及び／又は制御部をユニット化したことを特徴とする請求項７に記載の清掃具。
【請求項９】
請求項１〜８のいずれか1項に記載された清掃具と、略水平に配され、下方より吸引される室内の空気中に含まれる塵埃を捕獲するエアーフィルターを備えた空気調和機。
【発明の詳細な説明】
【技術分野】
【０００１】
本発明は、天井埋込式の空気調和機に搭載されたエアーフィルターなど、比較的平坦な被清掃面に付着した塵埃を除去し、回収するための清掃具及び、この清掃具を搭載した空気調和機に関するものである。
【背景技術】
【０００２】
比較的平坦な被清掃面として、天井埋込式の空気調和機に搭載されたエアーフィルターなどが有る（例えば、特許文献１参照）。図１１は、前記特許文献１に記載された従来の空気調和機の断面図である。
【０００３】
図１１において、従来の空気調和機の空気調和機本体１内には、熱交換器２と、室内の空気を取り入れる空気吸込口３を有する吸込グリル７と、前記吸込グリル７の上面に設けられ塵埃を捕捉するためのエアーフィルター４と、前記空気吸込口３から室内の空気を吸引し、前記熱交換器２を通して空気吹き出し口５から、熱交換された空気を室内に吹き出すファン６とを備えている。
【０００４】
空気調和機本体１は、天井８に設けた開口部９に埋め込まれて吊りボルト１０により固定設置されている。これにより、開口部９から下方（室内側）には、空気吸込口３を有する吸込グリル７を略中央部に、空気吹き出し口５を両サイドに有する化粧パネル１１が外観面として露出する。
【０００５】
上記のように構成された従来の空気調和機の動作、作用は以下の通りである。
【０００６】
空気調和機本体１を、例えば、冷房運転すると、ファン６により室内の空気が空気吸込口３から流入し、エアーフィルター４を通って熱交換器２に至り、そこで冷却され、冷たい空気が空気吹き出し口５から室内に吹き出される。吸引される室内の空気に含まれる塵埃は、エアーフィルター４の表面で捕集され、エアーフィルター４の表面（図１１においてエアーフィルター４の下面）に堆積する。
【０００７】
エアーフィルター４の表面に塵埃が堆積してくると、空気の通気圧損が増加し、熱交換効率が低下してくるので、定期的に或いは、必要に応じてエアーフィルター４の表面に付着、堆積した塵埃の除去作業が必要となる。
【０００８】
従来、このようなエアーフィルター４の表面に付着した塵埃を除去する場合、エアーフィルター４が装着された化粧パネル１１を空気調和機本体１から取り外して、ブラシや、電気掃除機などで清掃していた。
【特許文献１】実公平７−４４１０号公報
【発明の開示】
【発明が解決しようとする課題】
【０００９】
しかしながら、上記従来の天井埋込式の空気調和機に搭載されたエアーフィルター４に付着した塵埃の除去方法では、空気調和機本体１が、店舗等の比較的天井が高い所に設置されていることが多いため、エアーフィルター４が装着された化粧パネル１１を空気調和機本体１から取り外し、それを床面に置き、エアーフィルター４を取り出して、ブラシや、電気掃除機などで塵埃除去作業を行う必要があり、非常に手間のかかるものとなっていた。
【００１０】
また、化粧パネル１１を空気調和機本体１に取り付けたままで、吸込グリル７の開口即ち空気吸込口３を通して、ブラシなどを利用してエアーフィルター４を清掃する簡易的な方法もあるが、空気調和機本体１が高所に取り付けられているため、作業がしづらく、また、天井埋込式の空気調和機の場合、エアーフィルター４の塵埃付着面は、下側を向いているため、下側からブラシで清掃しようとすると、塵埃が室内に落下したり、周囲に飛び散ったりして、非常に非衛生的であった。
【００１１】
同じく、化粧パネル１１を空気調和機本体１に取り付けたままで、吸込グリル７の開口即ち空気吸込口３を通して、エアーフィルター４を清掃する方法として、特に、図示しないが、電気掃除機にホースを介して接続された延長管の先端にダストブラシを付け、そのダストブラシで、吸込グリル７に配された空気吸込口３をなぞって、塵埃を吸引することもできるが、延長管を上向きにし、そのホース側端部を手で支えながら、延長管の先端に接続したダストブラシで、吸込グリル７を下からなぞる作業は大変な重労働になるという課題があった。
【００１２】
本発明は、上記従来の課題を解決するもので、天井埋込式の空気調和機に搭載されたエアーフィルター等の被掃除面に付着した塵埃を容易に除去でき、しかも除去された塵埃を容易に廃棄することができる清掃具及び空気調和機を提供することを目的とするものである。
【課題を解決するための手段】
【００１３】
前記従来の課題を解決するために、本発明の清掃具は、上面に開口を有する本体ケースと、前記開口に臨むように前記本体ケース内に回転自在に配され、被清掃面に付着した塵埃を除去する除塵体Ａと、前記除塵体Ａに付着した塵埃を除去する除塵体Ｂと、前記除塵体Ｂから剥離落下する塵埃を受けるダストボックスを設けたもので、除塵体Ａを駆動するだけで、除塵体Ａが回転して連続的に被清掃面に付着した塵埃を確実に除去すると共に、塵埃がダストボックスに回収されるので、塵埃の廃棄もきわめて容易である。また、除塵体Ａに付着した塵埃が除塵体Ｂで除去されることにより、一旦除去された塵埃が被清掃面に再付着することが無く、除去性能が向上する。また、ダストボックスは、除塵体Ｂから剥離し自然落下する塵埃を受けるだけなので、塵埃をダストボックスに回収するための余分な機構や動力が不要になり、安価でしかも軽量化を図ることができる。
【００１４】
また、本発明の空気調和機は、請求項１〜８のいずれか1項に記載された清掃具と、略水平に配され、下方より吸引される室内の空気中に含まれる塵埃を捕獲するエアーフィルターを備えたもので、エアーフィルターに付着した塵埃の除去、廃棄が極めて容易な空気調和機を提供することが出来る。  
【発明の効果】
【００１５】
本発明の清掃具及び空気調和機は、高所に配されたエアーフィルター等の被掃除面に付着した塵埃を容易に除去でき、しかも除去された塵埃を容易に廃棄することができるものである。
【発明を実施するための最良の形態】
【００１６】
第１の発明は、上面に開口を有する本体ケースと、前記開口に臨むように前記本体ケース内に回転自在に配され、被清掃面に付着した塵埃を除去する除塵体Ａと、前記除塵体Ａに付着した塵埃を除去する除塵体Ｂと、前記除塵体Ｂから剥離落下する塵埃を受けるダストボックスを設けたもので、除塵体Ａを駆動するだけで、除塵体Ａが回転して連続的に被清掃面に付着した塵埃を確実に除去すると共に、塵埃がダストボックスに回収されるので、塵埃の廃棄もきわめて容易である。また、除塵体Ａに付着した塵埃が除塵体Ｂで除去されることにより、一旦除去された塵埃が被清掃面に再付着することが無く、除去性能が向上する。また、ダストボックスは、除塵体Ｂから剥離し自然落下する塵埃を受けるだけなので、塵埃をダストボックスに回収するための余分な機構や動力が不要になり、安価でしかも軽量化を図ることができる。
【００１７】
第２の発明は、特に、第１の発明のダストボックスを、本体ケースから着脱可能にしたもので、回収された塵埃の廃棄が一層容易になる。
【００１８】
第３の発明は、特に、第１又は第２の発明のダストボックス内の塵埃量を検知する塵埃検知手段を設けたもので、例えば、塵埃検知手段が、ダストボックス内の塵埃量が所定量に達したことを検知したときに、ランプなどの表示手段を用いて満杯表示するようにすれば、一々ダストボックスを外して中の塵埃量をチェックする必要が無いので、非常に使用勝手がよいものである。
【００１９】
第４の発明は、特に、第１〜３のいずれか一つの発明のダストボックス内に堆積した塵埃を圧縮する圧縮手段を設けたもので、特に、被掃除面が空気調和機のエアーフィルターなどの場合、綿埃など比較的かさばる塵埃が多いが、それを圧縮することにより、より多くの塵埃をダストボックス内に回収できるようになり、塵埃の廃棄回数が減り、メンテナンスが容易になるものである。
【００２０】
第５の発明は、特に、第１〜４のいずれか一つの発明のダストボックスと清掃具の外部を連通する接続管を設けたもので、接続管に電気掃除機の延長管やホースの先端を当てて、電気掃除機を運転するだけで、ダストボックス内に回収された塵埃を一瞬に吸引して空にできるので、ダストボックスをわざわざ取り外す必要が無く、しかも塵埃の廃棄も同時に行なわれ、非常に使用勝手が良い。
【００２１】
第６の発明は、特に、第１〜５のいずれか一つの発明のダストボックスに堆積した塵埃を回収する集塵フィルターと、前記ダストボックスと連通すると共に前記集塵フィルターが着脱自在に装着される集塵室と、吸引側が前記集塵室の下流側に連通する電動送風機を設けたもので、電動送風機を運転するだけで、除塵体Ｂから剥離落下してダストボックスに堆積した塵埃を、集塵室に装着した集塵フィルター内に回収し溜めておけるので、塵埃の廃棄頻度が減り、しかも集塵フィルターを取り出すだけで、塵埃の廃棄も簡単にできる。特に、使い捨ての集塵フィルターを使用すれば、一層塵埃の廃棄が容易になる。
【００２２】
第７の発明は、特に、第１〜６のいずれか一つの発明の本体ケースに、被掃除面に沿って清掃具を移動させる駆動手段と、前記駆動手段を制御する制御部を内蔵したもので、清掃具の、エアーフィルター等の被掃除面を有する機器への取り付けが容易になる。
【００２３】
第８の発明は、特に、第７の発明の駆動手段及び／又は制御部をユニット化したもので、清掃具の組み立て、点検、被掃除面を有する機器への取り付けが容易になる。
【００２４】
第９発明は、請求項１〜８のいずれか1項に記載された清掃具と、略水平に配され、下方より吸引される室内の空気中に含まれる塵埃を捕獲するエアーフィルターを備えたもので、エアーフィルターに付着した塵埃の除去、廃棄が極めて容易な空気調和機を提供することが出来る。
【００２５】
以下、本発明の実施の形態について、図面を参照しながら説明する。なお、この実施の形態によって本発明が限定されるものではない。
【００２６】
（実施例１）
図１は、本発明の第１の実施例における清掃具を搭載した天井埋め込み型の空気調和機の室内機の断面図、図２は、同清掃具の斜視図、図３は、図２のＡ−Ａ断面図、図４（ａ）は、同清掃具の除塵体Ａの斜視図、図４（ｂ）は、同清掃具の除塵体Ｂの斜視図である。
【００２７】
図１において、空気調和機の室内機１５は、天井１６に設けた開口１７内を通して、梁（図示せず）などに吊りボルト１８で吊り下げられた室内機本体２０と、開口１７と共に室内機本体２０の下面を覆うように取着された化粧パネル２１から構成されている。室内機本体２０内には、室内の空気を吸引するファン２３と、ファン２３を回転駆動するファンモータ２４と、吸引された空気を熱交換する室内熱交換機２５と、熱交換された空気を吹き出す吹き出し通路２６を備えている。
【００２８】
化粧パネル２１の下面中央部には、開閉自在の吸い込みグリル２７で覆われ、室内の空気を取り入れる吸込口２８が設けられ、化粧パネル２１内には、吸込口２８に対向するように配され同室内機本体２０内に流入する室内の空気中に含まれる塵埃を捕集するエアフィルター２９と、左右又は前後に移動自在（図１においては、矢印で示されたように左右方向に移動自在）で、エアフィルター２９の上流側面に付着した塵埃を除去し清掃する清掃具３０が配されている。
【００２９】
化粧パネル２１の４箇所には、化粧パネル２１を室内機本体２０に装着したときに、吹き出し通路２６と連通し、空気を室内に向けて吹き出す吹出口３１が設けられ、その吹出口３１には、吹き出される空気の向きを変える風向変更羽根３２が回動自在に設けられている。
【００３０】
次に、本実施例における清掃具３０の構成の詳細について、図２、３を用いて詳述する。
【００３１】
図２、３において、清掃具３０は、上面に開口３５ａを有する本体ケース３５と、開口３５に臨むように本体ケース３５内に回転自在に配され、被清掃面であるエアフィルター２９に付着した塵埃を除去する除塵体Ａ３６と、モータなどからなり除塵体Ａ３６を回転駆動する第１の駆動手段３７と、除塵体Ａ３６に対向して配されると共に、除塵体Ａ３６に付着した塵埃を除去する除塵体Ｂ３８と、本体ケース３５の底部に着脱自在で、除塵体Ｂ３８から剥離落下する塵埃を受けるダストボックス３９と、本体ケース３５の側面に配され、化粧パネル２１内に左右方向に張られたワイヤー３３を挟持する一対の移動ローラー４０と、ギヤードモータなどからなり一対の移動ローラー４０を互いに反対方向に回転駆動する第２の駆動手段４１と、本体ケース３５の底面に設けられた操作用のスイッチ４２と、スイッチ４２からの信号に基づき第１の駆動手段３７と、第２の駆動手段４１の運転を制御する制御部４３を備えている。なお、制御部４３には、図示しないワイヤーハーネスを経由して、室内機本体２０側から電源が供給されている。ワイヤー３３を挟持する一対の移動ローラー４０と、それを駆動する第２の駆動手段４１とで、エアフィルター２９に沿って清掃具３０を左右に移動させる駆動手段が形成されている。
【００３２】
除塵体Ａ３６は図４（ａ）に示すように、コアー部３６ａと、コアー部３６ａの表面に植設、接着、溶着等の手段で取り付けられると共に、繊維や無数の突起を有し、エアフィルター２９に摺接する塵埃除去部材Ａ３６ｂから構成されている。また、除塵体Ｂ３８は、除塵体Ａ３６に併設されると共に、除塵体Ａ３６と対向する面は、除塵体Ａ３６の外形に相似になるように湾曲していると共に、除塵体Ａ３６の塵埃除去部材Ａ３６ｂに付着した塵埃を剥離除去する塵埃除去部材Ｂ３８ｂが貼着されている。
【００３３】
ダストボックス３９の前面には、指を引っかけるための凹部３９ａが設けられている。
【００３４】
以上のように構成された清掃具３０及びそれを搭載した空気調和機の動作、作用は以下の通りである。
【００３５】
空気調和機の運転、例えば冷房運転を開始すると、ファンモータ２４が駆動しファン２３が回転し、室内の空気が、化粧パネル２１に設けた吸い込みグリル２７を通って、吸込口２８から流入し、エアフィルター２９を通って室内熱交換器２５に至り、そこで冷却され、冷たい空気が、吹き出し通路２６を通って、吹出口３１から室内に吹き出される。吸込口２８から吸引される室内の空気に含まれた塵埃は、エアフィルター２９の下面に付着し次第に堆積していく。エアフィルター２１の表面に塵埃が堆積してくると、空気の通気圧損が増加し、室内熱交換器２５での熱交換効率が低下してくるので、定期的に或いは、必要に応じて、エアフィルター２９に堆積した塵埃の除去運転が必要となる。
【００３６】
本実施例では、清掃具３０の底面に設けたスイッチ４２を押すことにより、除去運転が行なわれるようになっている。
【００３７】
図において、スイッチ４２を押すと、まず、第２の駆動手段４１に通電される。第２の駆動手段４１に通電されることにより、ワイヤー３３を挟持する一対の移動ローラー４０が互いに反対方向に回転し、清掃具３０全体が一方向、図１に示す状態では、右方向に移動する。このとき、除塵体Ａ３６の塵埃除去部材Ａ３６ｂは開口３５に露出する位置で停止しており、エアフィルター２９に付着した塵埃を掻き取る。これにより、エアフィルター２９の全面を清掃することができる。
【００３８】
清掃具３０がエアフィルター２９の一方の端部に達すると、リミットスイッチなどからなる位置検出手段（図示しない）がそれを検知し、その検知信号が制御部４３に送られ、第１の駆動手段３７に通電する。すると、除塵体Ａ３６の塵埃除去部材Ａ３６ｂが、開口３５に露出する位置から除塵体Ｂ３８に向き合う位置へと回転し、塵埃を除塵体Ｂ３８の塵埃除去部材Ｂ３８ａへ移送する。除塵体Ａ３６の塵埃除去部材Ａ３６ｂは、再び、開口３５に露出する位置へ復帰し、除塵体Ｂ３８の塵埃除去部材Ｂ３８ａへ移送された塵埃の一部がダストボックス３９内へ落下し、回収される。次回の除去運転のときに、除塵体Ａ３６の塵埃除去部材Ａ３６ｂが、開口３５に露出する位置から除塵体Ｂ３８に向き合う位置へと回転する動きにより、前回の清掃時に除塵体Ｂ３８の塵埃除去部材Ｂ３８ａに付着した塵埃は、掻き落とされてダストボックス３９内へ落下し、回収される。
【００３９】
スイッチ４２を押す毎に、上記の一連動作を１回乃至複数回繰り返して停止する。これにより、エアフィルター２９に付着した塵埃をダストボックス３９内へ回収する。
このような塵埃除去運転を何度か行なうと、ダストボックス３９内に塵埃が蓄積されてくるので、適宜、吸い込みグリル２７を開け、ダストボックス３９の前面に設けた凹部３９ａに指をかけて、ダストボックス３９を清掃具３０から引き出して、中に溜まった塵埃を廃棄する。
【００４０】
以上のように本実施例によれば、除塵体Ａ３６を駆動するだけで、除塵体Ａ３６が回転して連続的に被清掃面であるエアフィルター２９に付着した塵埃を確実に除去すると共に、塵埃がダストボックス３９に回収されるので、塵埃の廃棄もきわめて容易である。また、除塵体Ａ３６に付着した塵埃が除塵体Ｂ３８で除去されることにより、一旦除去された塵埃がエアフィルター２９に再付着することが無く、除去性能が向上する。また、ダストボックス３９で除塵体Ｂ３８から剥離し自然落下する塵埃を受けるだけなので、塵埃をダストボックス３９に回収するための余分な機構や動力が不要になり、安価でしかも軽量化を図ることができる。
【００４１】
また、上記実施例では、ダストボックス３９が、本体ケース３５に着脱自在なので、回収された塵埃の廃棄が一層容易になるものである。
【００４２】
また、本体ケース３５内に、エアフィルター２９に沿って清掃具３０を移動させる移動手段である第２の駆動手段４１と、第２の駆動手段４１などを制御する制御部４３を内蔵しているので、清掃具３０の空気調和機への取り付けが容易になる。
【００４３】
（実施例２）
図５（ａ）は、本発明の第２の実施例における清掃具の斜視図、図５（ｂ）は、同清掃具のダストボックスの斜視図である。なお、上記第１の実施例における清掃具と同一部品については、同一符号を付してその説明を省略する。
【００４４】
図５において、本実施例における清掃具４５は、本体ケース３５内に、発光手段４６ａと、発光手段４６ａからの光を受ける受光手段４６ｂからなり、ダストボックス３９内の塵埃の量を検知する塵埃検知手段４６と、清掃具４５の底面に設けられ、ランプなどからなり、塵埃検知手段４６で検知された塵埃の量が所定量に達すると、動作する表示手段４７を設けたもので、他の構成は、上記第１の実施例と同じである。
【００４５】
本実施例では、ダストボックス３９を、アクリルなどの透明材料で成型すると共に、図５（ｂ）に示すように、ダストボックス３９を挟んで、発光手段４６ａと受光手段４６ｂを対向して配置している。塵埃検知手段４６及び表示手段４７はいずれも制御部４３に電気的に接続されている。
【００４６】
以上のように構成された本実施例における清掃具４５の動作は、以下の通りである。
【００４７】
ダストボックス３９内に塵埃が堆積し、その量、すなわち塵埃の高さが所定の高さに達すると、発光手段４６ａから受光手段４６ｂに至る光が遮られ、受光手段４６ｂが受光する光の量が減る。制御部４３は、受光手段４６ｂによる受光量が減ったことを検知し、表示手段４７を動作させて、ダストボックス３９が満杯になったことを使用者に報知するようになっている。
【００４８】
以上のように、本実施例によれば、使用者は、高いところにある空気調和機に搭載された清掃具４５のダストボックス３９を一々外して、中の塵埃量をチェックする必要が無く、表示手段４７が点灯したときに、ダストボックス３９を外すだけで良く、非常に使用勝手がよいものである。
【００４９】
（実施例３）
図６は、本発明の第３の実施例における清掃具のダストボックスの斜視図である。なお、上記第１の実施例における清掃具と同一部品については、同一符号を付してその説明を省略する。
【００５０】
本実施例は、ダストボックス３９内に、移動自在でかつ、ダストボックス３９内の塵埃を圧縮する圧縮板４９を配し、ダストボックス３９の前壁３９ｂの長手方向にスリット５０を設け、スリット５０を通して圧縮板４９に連結されたつまみ５１を設け、つまみ５１を操作して、ダストボックス３９の一方の端部から他方の端部まで圧縮板４９を移動させて中の塵埃を圧縮できるようにしたものである。
【００５１】
以上のように、本実施例によれば、特に、被掃除面がエアーフィルター２９などの場合、綿埃など比較的かさばる塵埃が多いが、それを圧縮板４９で圧縮することにより、より多くの塵埃をダストボックス３９内に回収できるようになり、塵埃の廃棄回数が減り、メンテナンスが容易になるものである。
【００５２】
（実施例４）
図７（ａ）は、本発明の第４の実施例における清掃具のダストボックスの平面図、図７（ｂ）、（ｃ）は、図７（ａ）の拡大Ｂ−Ｂ断面図（本体ケースの断面含む）である。なお、上記実施例における清掃具と同一部品については、同一符号を付してその説明を省略する。
【００５３】
本実施例は、図７に示すように、ダストボックス３９の底の一部に、開口３９ｃを設け、その開口３９ｃに、内方に放射状の切り込みを有すると共に、ゴムなどの弾性材料からなる逆止弁５３を設け、更に本体ケース３５の底部に、本体ケース３５にダストボックス３９を装着したときに、清掃具３０の外部と開口３９ｃと連通するパイプ状の接続管５４を垂下形成し、その接続管５４の少なくとも下部の外形形状を一般に市販されている電気掃除機の延長管５７が装着できるような形状としたものである。
【００５４】
以上のように構成された本実施例における清掃具の動作は以下の通りである。
【００５５】
ダストボックス３９内の塵埃を廃棄するときは、吸い込みグリル２７を開いて、電気掃除機の延長管の先端を、接続管５４の端部に接続し、電気掃除機を運転する。
【００５６】
電気掃除機を運転すると、図７（ｃ）に示すように、吸引力が逆止弁５３に作用して、逆止弁５３が下方に湾曲しながら開くと同時に、ダストボックス３９内に回収された塵埃が瞬時に吸引され、ダストボックス３９が簡単に空にできる。
【００５７】
このように本実施例によれば、ダストボックス３９をわざわざ取り外す必要が無く、しかも塵埃も電気掃除機側の集塵部に吸引されるので、非常に使用勝手が良いものである。
【００５８】
なお、特に図示しないが、吸い込みグリル２７の一部を切り欠いて、その部分に接続管５４を臨ませておけば、吸い込みグリル２７を開け閉めすることなく、電気掃除機の延長管を接続管５４に接続できるようになり、一層使用勝手が向上するものである。
【００５９】
図８は、本実施例の他の例を示すもので、ダストボックス３９の底部に、清掃具３０の外部とダストボックス３９内部と連通する接続管５６を一体的に形成し、その接続管５６の上部開口５６ａに逆止弁５３を設け、本体ケース３５の底壁３５ｂに、ダストボックス３９を本体ケース３５に装着する際に、ダストボックス３９に設けた接続管５６が当たらないようにするためのＵ字状の切り込み３５ｃを設けるようにしてもよい。
【００６０】
（実施例５）
図９（ａ）は、本発明の第５の実施例における清掃具の斜視図、図９（ｂ）は、図９（ａ）の拡大Ｄ−Ｄ部分断面図である。なお、上記実施例における清掃具と同一部品については、同一符号を付してその説明を省略する。
【００６１】
本実施例における清掃具６０は、ダストボックス６１の側壁６１ａに、開口６１ｂを設け、ダストボックス６１を本体ケース６２に装着したときに開口６１ｂに連通する第２の開口６３ａを有する集塵室６３と、吸引力を発生させると共に吸引側が集塵室６３と連通する電動送風機６４と、電動送風機６４からの排気を外部に排出する排気口６５と、集塵室６３に着脱自在に装着される集塵フィルター６６を備えており、他の構成は、上記実施の形態における清掃具と同じである。
【００６２】
集塵フィルター６６は、第２の開口６３ａに連通する第３の開口６６ａを有すると共に集塵室６３の前壁６３ｂに装着される口芯６６ｂと、口芯６６ｂに固着され布や紙などからなる濾材６６ｃから形成されている。
【００６３】
６７は、集塵室６３を開閉する扉体で、集塵フィルター６６の交換或いは、集塵フィルター６６内に捕捉された塵埃を廃棄する際に、開閉するものである。
【００６４】
以上のように構成された、本実施例における清掃具６０の動作は以下のとおりである。なお、エアーフィルター２９に付着した塵埃を除去し、ダストボックス６１内に回収する動作は、上記実施例と同様なので、説明を割愛する。
【００６５】
ダストボックス６１内に堆積した塵埃を回収するときは、図示しないスイッチを操作して電動送風機６４を運転する。電動送風機６４が運転すると、それによって発生する吸引力によって、ダストボックス６１内の塵埃が空気と共に、ダストボックス６１に設けた開口６１ａ、集塵室６３の第２の開口６３ａ、集塵フィルター６６の第３の開口６６ａを通って、集塵フィルター６６内に入り、塵埃はそこで捕獲され、きれいになった空気は、電動送風機６４を冷却しながら、排気口６５から外部に排出される。
【００６６】
以上のように、本実施例によれば、電動送風機６４を運転するだけで、ダストボックス６１に回収された塵埃を集塵フィルター６６に移送して溜めておくことができるので、塵埃の廃棄頻度が減り、しかもを集塵フィルター６６を取り出すだけで、塵埃の廃棄も簡単にできる。特に、紙製の使い捨ての集塵フィルター６６を使用すれば、一層塵埃の廃棄が容易になるものである。
【００６７】
（実施例６）
図１０は、本発明の第６の実施例における清掃具の分解斜視図である。なお、上記記実施例における清掃具と同一部品については、同一符号を付してその説明を省略する。
【００６８】
本実施例は、駆動手段や制御部をユニット化して、清掃具の組み立て、点検、機器への取り付けを容易にしようとするものである。
【００６９】
図１０において、本実施例における清掃具７０は、本体ユニット７１と、本体ユニット７１にネジ止め又は爪嵌合される駆動ユニット７２と、同じく本体ユニット７１にネジ止め又は爪嵌合される制御ユニット７３から構成されている。
【００７０】
本体ユニット７１の外郭は本体ケース７１ａで形成され、本体ケース７１ａには、回転自在の除塵体Ａ３６と、除塵体Ｂ３８と、除塵体Ａ３６を回転駆動する第１の駆動手段３７が内蔵されている。本体ユニット７１には、更に第１の駆動手段３７に電源を供給するためのワイヤーハーネス７１ｂと、渡り配線用のワイヤーハーネス７１ｃが、一端から他端にかけて設けられている。
【００７１】
駆動ユニット７２は、本体ユニット７１にネジ止め又は爪嵌合される側板７２ａと、側板７２ａに取り付けられた第２の駆動手段４１と、一対の移動ローラー４０から構成されている。４１ａは、第２の駆動手段４１に電源を供給するためのワイヤーハーネスで、ワイヤーハーネス７１ｃの一端（図中では、右端）とコネクター接続されるものである。
【００７２】
また、制御ユニット７３は、本体ユニット７１にネジ止め又は爪嵌合される側板７３ａと、側板７３ａに取り付けられた制御部４３と、スイッチ４２と、表示手段４７から構成されている。制御部４３には、ワイヤーハーネス７１ｂにコネクター接続されるワイヤーハーネス４３ａと、ワイヤーハーネス７１ｃの他端にコネクター接続されるワイヤーハーネス４３ｂと、空気調和機から電源を受けるためのワイヤーハーネス４３ｃが設けられている。
【００７３】
本実施例における清掃具７０の組み立ては、ワイヤーハーネス７１ｃの一端にワイヤーハーネス４１ａをコネクター接続し、駆動ユニット７２の側板７２ａを本体ユニット７１にネジ止め又は爪嵌合等で取り付け、ワイヤーハーネス４３ａとワイヤーハーネス７１ｂ、及びワイヤーハーネス４３ｂとワイヤーハーネス７１ｃの他側とをそれぞれコネクター接続し、制御ユニット７３の側板７３ａを、本体ユニット７１にネジ止め又は爪嵌合等で取り付けるだけで完了する。
【００７４】
以上のように本実施例によれば、本体ユニット７１、駆動ユニット７２、制御ユニットのそれぞれが、必要な部品でユニット化されているので、清掃具７０の組み立て、点検、被掃除面を有する機器への取り付けが容易になるものである。
【産業上の利用可能性】
【００７５】
以上のように、本発明にかかる清掃具及び空気調和機は、高所に配されたエアーフィルター等の被掃除面に付着した塵埃を容易に除去でき、しかも除去された塵埃を容易に廃棄することができるもので、空気調和機に限らず、空気清浄機などエアーフィルターを搭載した各種機器に応用できる。
【図面の簡単な説明】
【００７６】
【図１】本発明の第１の実施例における清掃具を搭載した天井埋め込み型の空気調和機の室内機の断面図
【図２】同清掃具の斜視図
【図３】図２のＡ−Ａ断面図
【図４】（ａ）同清掃具の除塵体Ａの斜視図、（ｂ）同清掃具の除塵体Ｂの斜視図
【図５】（ａ）本発明の第２の実施例における清掃具の斜視図、（ｂ）同清掃具のダストボックスの斜視図
【図６】本発明の第３の実施例における清掃具のダストボックスの斜視図
【図７】（ａ）本発明の第４の実施例における清掃具のダストボックスの平面図、（ｂ）、（ｃ）図７（ａ）の拡大Ｂ−Ｂ断面図（本体ケースの断面含む）
【図８】（ａ）他の例を示す清掃具のダストケースの平面図、（ｂ）図８（ａ）のＣ−Ｃ断面図、（ｃ）同清掃具の部分斜視図
【図９】（ａ）本発明の第５の実施例における清掃具の斜視図、（ｂ）図９（ａ）の拡大Ｄ−Ｄ部分断面図
【図１０】本発明の第６の実施例における清掃具の分解斜視図
【図１１】従来の一般的な空気調和機の断面図
【符号の説明】
【００７７】
１５    室内機
２０    室内機本体
２９    エアフィルター（被掃除面）
３０、４５、６０、７０  清掃具
３５、６２、７１ａ  本体ケース
３５ａ  開口
３６    除塵体Ａ    ３７    第１の駆動手段（駆動手段）
３８    除塵体Ｂ
３９、６１  ダストボックス
４０    移動ローラー（駆動手段）
４１    第２の駆動手段（駆動手段）
４３    制御部
４９    圧縮板
５４、５６  接続管
６３    集塵室
６４    電動送風機
６６    集塵フィルター
７１    本体ユニット
７２    駆動ユニット
７３    制御ユニット
【図１】
2008157538.tif 000003
【図２】
2008157538.tif 000004
【図３】
2008157538.tif 000005
【図４】
2008157538.tif 000006
【図５】
2008157538.tif 000007
【図６】
2008157538.tif 000008
【図７】
2008157538.tif 000009
【図８】
2008157538.tif 000010
【図９】
2008157538.tif 000011
【図１０】
2008157538.tif 000012
【図１１】
2008157538.tif 000013